(57)【特許請求の範囲】
【請求項１】
複数の記憶エリアを有し、データをそのデータの属性に合せて前記複数の記憶エリアに分類して記憶する記憶手段と、
この記憶手段に記憶されているデータを表示する表示手段と、
データとその属性を指定する指定コードとを含んだ信号を受信する受信手段と、
この受信手段で指定コードと共に受信されたデータを、当該データが記憶されるべき当該データの属性に対応する記憶エリアを表す、前記指定コードに基づくガイドメッセージとともに前記表示手段に表示する表示制御手段と、
前記表示手段にガイドメッセージとともに表示されているデータを、ガイドメッセージにより示された記憶エリアに記憶するか否かを指示する指示手段と、
この指示手段により記憶が指示されたときに、前記表示手段にガイドメッセージとともに表示されているデータを、ガイドメッセージにより示された記憶エリアに記憶する記憶制御手段と
を具備したことを特徴とする情報管理装置。
【請求項２】
上記記憶手段から読出したデータとその属性を指定する指定コードとを含む信号を送信する送信手段をさらに具備したことを特徴とする請求項１記載の情報管理装置。
【請求項３】
複数の記憶エリアを有し、データをそのデータの属性に合せて前記複数の記憶エリアに分類して記憶する第１の記憶手段と、
この記憶手段に記憶されているデータを表示する表示手段と、
データとその属性を指定する指定コードとを含んだ信号を受信する受信手段と、
この受信手段で受信されたデータとその属性を指定する指定コードとを記憶する第２の記憶手段と、
この第２の記憶手段に記憶されている受信データのインデックスを前記表示手段に表示させる第１の表示制御手段と、
この第１の表示制御手段により表示手段に表示されたインデックスの１つを選択する手段と、
この選択手段によりインデックスの１つが選択されたとき、前記表示手段の表示内容を、選択されたインデックスに対応する受信データと、当該データが記憶されるべき当該データの属性に対応する記憶エリアを表す、前記指定コードに基づくガイドメッセージとに切り替える第２の表示制御手段と、
前記表示手段にガイドメッセージとともに表示されているデータを、ガイドメッセージにより示された記憶エリアに記憶するか否かを指示する指示手段と、
この指示手段により記憶が指示されたときに、前記表示手段にガイドメッセージとともに表示されているデータを、ガイドメッセージにより示された記憶エリアに記憶する記憶制御手段と
を具備したことを特徴とする情報管理装置。
【請求項４】
上記記憶手段から読出したデータとその属性を指定する指定コードとを含む信号を送信する送信手段をさらに具備したことを特徴とする請求項３記載の情報管理装置。
【発明の詳細な説明】
【０００１】
【発明の属する技術分野】
本発明は、データ伝送システムに適用される通信機能を備えた情報管理装置に関する。
【０００２】
【従来の技術】
従来より、電子手帳、ハンドヘルドコンピュータなどの携帯型情報管理装置が知られている。これらの携帯型情報管理装置は、例えば使用者本人の行動予定を表わすスケジュールデータや、名前、電話番号等を含む複数の個人データからなるアドレス帳データなどの、それぞれ異なる属性を有する各種カテゴリーの情報を入力して記憶させておき、必要に応じて表示させることができるようになっている。
【０００３】
また、最近では、情報管理装置に記憶のデータを既存の通信システム、例えば、無線ページングシステムを利用して他の装置に送信することも行われている。例えば、無線ページングシステムを利用して情報管理装置からページング受信機へデータを送信する場合には、情報管理装置にスピーカを設け、該スピーカを電話機の送話口に押し当てた状態で、相手先ページング受信機の呼出し番号（電話番号）及び送信すべきデータに対応したＤＴＭＦ（Ｄｕａｌ  Ｔｏｎｅ  Ｍｕｌｔｉ  Ｆｒｅｑｕｅｎｃｙ：ダイヤルトーン）信号音をスピーカから発生させる。これにより、無線ページングシステムの送信局から前記相手先ページング受信機の呼出し信号と前記データに対応したメッセージ信号が送信されるので、前記情報管理装置が送信したデータは前記相手先ページング受信機で受信される。
【０００４】
【発明が解決しようとする課題】
上記の様に、情報管理機能が通信機能を備えている場合、メッセージデータだけではなく、スケジュールデータやアドレス帳データ等のデータをも送受信することができるようにすれば、コミュニケーション手段としてさらに便利なものとすることができる。
【０００５】
しかしながら、上記メッセージデータ、スケジュールデータ、アドレス帳データのカテゴリーの異なるデータはそれぞれその用途から表示されるデータの属性が異なるものであり、これらのデータをその属性を無視して送受信した場合には、受信側のユーザーはあらためてそのデータの属性を設定した上で対応するメモリの領域に記憶させるなどの操作を行なわなくてはならない。
【０００６】
本発明は上記のような予期される問題に鑑みてなされたもので、その目的とするところは、受信したデータが属性を有するものであった場合に繁雑な操作を必要とせずにその受信データをカテゴリーや属性に応じたメモリの領域に記憶させることが可能な情報管理装置を提供することにある。
【０００７】
【課題を解決するための手段】
請求項１記載の発明は、複数の記憶エリアを有し、データをそのデータの属性に合せて前記複数の記憶エリアに分類して記憶する記憶手段と、この記憶手段に記憶されているデータを表示する表示手段と、データとその属性を指定する指定コードとを含んだ信号を受信する受信手段と、この受信手段で指定コードと共に受信されたデータを、当該データが記憶されるべき当該データの属性に対応する記憶エリアを表す、前記指定コードに基づくガイドメッセージとともに前記表示手段に表示する表示制御手段と、前記表示手段にガイドメッセージとともに表示されているデータを、ガイドメッセージにより示された記憶エリアに記憶するか否かを指示する指示手段と、この指示手段により記憶が指示されたときに、前記表示手段にガイドメッセージとともに表示されているデータを、ガイドメッセージにより示された記憶エリアに記憶する記憶制御手段とを具備したことを特徴とする。
【０００８】
このような構成としたことにより、受信したデータが属性を有するものであった場合には、受信したデータの表示時に当該データを属性に基づいて分類記憶する際の記憶エリアをも認識することができ、また当該データをその属性に対応した記憶手段の記憶エリアに記憶する際には、簡単な指示操作で記憶させることができる。
【０００９】
請求項２記載の発明は、上記請求項１記載の発明において、上記記憶手段から読出したデータとその属性を指定する指定コードとを含む信号を送信する送信手段をさらに具備したことを特徴とする。
【００１０】
このような構成としたことにより、上記請求項１記載の発明の作用に加えて、属性を有するデータを他の情報管理装置へ送信する機能をも有するようにしたため、他の情報管理装置とデータの共有化をはかることができる。
【００１１】
請求項３記載の発明は、複数の記憶エリアを有し、データをそのデータの属性に合せて前記複数の記憶エリアに分類して記憶する第１の記憶手段と、この記憶手段に記憶されているデータを表示する表示手段と、データとその属性を指定する指定コードとを含んだ信号を受信する受信手段と、この受信手段で受信されたデータとその属性を指定する指定コードとを記憶する第２の記憶手段と、この第２の記憶手段に記憶されている受信データのインデックスを前記表示手段に表示させる第１の表示制御手段と、この第１の表示制御手段により表示手段に表示されたインデックスの１つを選択する手段と、この選択手段によりインデックスの１つが選択されたとき、前記表示手段の表示内容を、選択されたインデックスに対応する受信データと、当該データが記憶されるべき当該データの属性に対応する記憶エリアを表す、前記指定コードに基づくガイドメッセージとに切り替える第２の表示制御手段と、前記表示手段にガイドメッセージとともに表示されているデータを、ガイドメッセージにより示された記憶エリアに記憶するか否かを指示する指示手段と、この指示手段により記憶が指示されたときに、前記表示手段にガイドメッセージとともに表示されているデータを、ガイドメッセージにより示された記憶エリアに記憶する記憶制御手段とを具備したことを特徴とする。
【００１２】
このような構成としたことにより、受信データ記憶手段に記憶されている受信データの中から表示させるべき所望の受信データの選択が容易となり、また、選択した受信データが属性を有するものであった場合には、受信データの表示時に当該データを属性に基づいて分類記憶する際の記憶エリアをも認識することができ、且つ当該データをその属性に対応した記憶手段の記憶エリアに記憶する際には、簡単な指示操作で記憶させることができる。
【００１３】
請求項４記載の発明は、上記請求項３記載の発明において、上記記憶手段から読出したデータとその属性を指定する指定コードとを含む信号を送信する送信手段をさらに具備したことを特徴とする。
【００１４】
このような構成としたことにより、上記請求項１記載の発明の作用に加えて、属性を有するデータを他の情報管理装置へ送信する機能をも有するようにしたため、他の情報管理装置とデータの共有化をはかることができる。
【００２１】
【発明の実施の形態】
以下、本発明を無線呼出しシステムの標準規格ＲＣＲ  ＳＴＤ−４３に準拠した無線ページングシステム（データ伝送システム）に適用した場合の実施の一形態について図面を参照して説明する。
【００２２】
図１は、データ送信端末及びデータ受信端末に本発明に係る情報管理装置１を用いた無線ページングシステムのシステム構成を例示している。本実施例の情報管理装置１は、ダイヤルトーン出力機能とページング信号受信機能とを備えた電子手帳である。この場合、プッシュホン等の電話端末２は公衆回線網３を介してぺージングサービス会社の管轄するセンター（中央制御局）４に接続され、送信局５はセンター４に接続されている。例えば電子手帳１Ａにより所定の呼出番号をダイヤル信号、例えばＤＴＭＦ信号で電話端末２を介して送信することで、この電話端末２が接続された公衆回線網３からぺージングサービス会社の管轄するセンター４及び送信局５を介して、呼出番号に対応する、電子手帳１Ａと同様構成の他の電子手帳１Ｂに呼出しがなされるようになっている。
【００２３】
図２及び図３は電子手帳１（１Ａ，１Ｂ）の外観構成を示すもので、図２が手帳型の電子手帳１を開いた状態の正面図、図３が同電子手帳１を閉じた状態での背面図である。
【００２４】
図２において、電子手帳１を開いた状態でその左側１ａ内面には、ドットマトリクスタイプの液晶表示パネルを用いた表示部１２、表示オンキー１３ａ、表示オフキー１３ｂ、表示切換キー１３ｃ、メニューキー１３ｄ、サーチキー１３ｅ、絵文字サーチキー１３ｆ、機能キー１３ｇ、シークレットキー１３ｈ、ベル番号キー１３ｉ、解除キー１３ｊ、実行キー１３ｋ、カーソルキー１３ｌ、メッセージキー１３ｍ、ダイヤルキー１３ｎ、及びその上端部にＩＲ送受信部１４が配設される。
【００２５】
表示オンキー１３ａは、電子手帳機能をオン状態にし、またすでに電子手帳機能がオン状態のときはデータの新規入力状態へ移行するためのキーであり、表示オフキー１３ｂは、電子手帳機能をオフ状態にして表示を消灯するためのキーである。
【００２６】
表示切換キー１３ｃは、表示の切換えを行なうためのキーであり、メニューキー１３ｄは電子手帳１に備えられた全モードのメニュー表示へ移行するためのキーである。
【００２７】
サーチキー１３ｅは、データの検索あるいは同検索状態の解除を指示するキーであり、絵文字サーチキー１３ｆは絵文字毎のデータの検索あるいは同検索状態の解除を指示するキーである。
【００２８】
ベル番号キー１３ｉは、電話帳モード内の登録データ、即ち後述するアドレス帳データメモリＤＢからページング受信機の呼出し番号とそのタイプ及び所有者の名前のみを一覧表示するためのキーである。
【００２９】
解除キー１３ｊは、実行中の機能、操作を途中で解除し、あるいは漢字変換を取消すためのキーであり、実行キー１３ｋは各機能の実行を指示するためのキーである。
【００３０】
カーソルキー１３ｌは、メニュー表示時、ファイル選択表示時、日付選択表示時、文字編集表示時等でそれぞれその状態に応じた形状で表示されるカーソルの上下左右各方向への移動を指示するためのキーである一方、後述するシートキー１３ｏ内のシフトキーとの併用により前に表示されたデータあるいは次のデータの表示を指示するためのキーである。
【００３１】
メッセージキー１３ｍは、後述する着信メッセージデータメモリＲＤに記憶されている受信メッセージの表示へ移行するためのキーであり、ダイヤルキー１３ｎは電話番号やデータのダイヤル信号、例えばＤＴＭＦ信号の発信開始を指示するためのキーである。
【００３２】
ＩＲ送受信部１４は、各種データ等を赤外線信号で同様の電子手帳１と直接送受信するための発光部及び受光部を一体に設けたものである。
【００３３】
また、電子手帳１の右側１ｂ内面には、多数のかなキー、アルファベットキー、数値キー、記号キー、その他各種機能キーが重複して配列されたシートキー１３ｏが設けられるもので、データの入力、データの編集及び変換、データの登録、電卓、メッセージの保護等を入力、指示する。
【００３４】
さらに、電子手帳１の左側１ａの側面には、図示はしないが同様構成の他の電子手帳１とライン接続して各種データを送受信するためのコネクタが配設されているものとする。
【００３５】
図３は電子手帳１を閉じた状態での背面、上記図２の左側１ａの裏面の外観構成を示すものであり、同図に示す如く動作電源としての電池、例えば単４乾電池×４本を収納するための電池蓋１５、この電池蓋１５が不用意に開いてしまうのを防止するロックスイッチ１６、上記電池蓋１５に収納される電池とは別にメモリ内容をバックアップするボタン電池を収納するためのバックアップ電池蓋１７、上記ＤＴＭＦ信号の出力等を行なうためのスピーカ１８等が設けられる。
【００３６】
続く図４は上記電子手帳１（１Ａ，１Ｂ）内に設けられる回路構成を示すものであり、この電子手帳１を呼出すための電波はアンテナ２１で受信されて受信部２２に送られる。受信部２２は、アンテナ２１で受信した受信データを２値または４値のデジタルデータに復調してデコーダ２３へ送出する。
【００３７】
デコーダ２３は、電源投入を検出した時点においては、バスラインＢを介して接続される制御部２５の制御に基づき、所定時間内に同期信号が受信されるまで受信部２２を駆動させ、同期信号を受信すると今度はＩＤ−ＲＯＭ２４のフレーム番号データを取込んだ制御部２５からの制御信号に基づいて受信部２２を間欠駆動させる。
【００３８】
そして、デコーダ２３は、受信部２２で復調した信号を８ビットパラレルデータに変換して制御部２５に送出し、制御部２５よりこれが自機に設定されているＩＤコードのアドレスデータに一致したと判断する信号を入力すると、続いて受信されるベクトルデータとメッセージデータとを制御部２５に送出するようにしている。
【００３９】
制御部２５は、バスラインＢを介して上記デコーダ２３、ＩＤ−ＲＯＭ２４の他に、上記ＩＲ送受信部１４、上記各種キー１３ａ〜１３ｏからなるキー入力部２６、上記表示部１２、デインタリーブ回路２７、バッファメモリ２８、ＲＯＭ２９、ＲＡＭ３０、ドライバ３１、送信バッファ３２及びインタフェイス（ＩＦ）３３と接続され、ＲＯＭ２９に記憶されている動作プログラムにしたがってデコーダ２３の受信制御、及び回路全体の制御動作を実行する。
【００４０】
デインタリーブ回路２７は、制御部２５の制御の下に、受信データ即ちデコーダ２３でデコードされたデジタル値の受信データに施されているインタリーブ処理を解除し、元のコード配列に戻す処理を行なうものである。
【００４１】
バッファメモリ２８は、デコーダ２３から直接送られてくる受信データを一時記憶し、上記デインタリーブ回路２７に供給するためのものである。
【００４２】
図５は上記ＲＯＭ２９に記憶されている各種情報の領域を例示するもので、上述した制御部２５のための制御プログラムＣＰの他に、上記表示部１２に表示する数字、記号、アルファベット、ひらがな、カタカナ、漢字及び絵文字等の各文字キャラクタのパターンデータを記憶したキャラクタジェネレータＣＧ、送信メッセージのうちの漢字、カタカナ、ひらがな、アルファベット大文字、同小文字、記号、及び絵文字を４桁の数字コードを用いた「＃○○○○」のように変換するための＃（シフト）ＪＩＳコード表ＪＣ、ページング受信機のタイプを番号で表わしたページング受信機タイプテーブルＰＴ、動作モードのコードに対応したモード名データ等を記憶したモードコードテーブルＭＴ、及びページング受信機のタイプに応じた各種送信コード変換テーブルＣＴの各領域を有している。
【００４３】
図６は上記ページング受信機タイプテーブルＰＴの記憶内容を示すものであり、ここでは上記＃ＪＩＳコードに対応して漢字等を表示可能な「漢字表示」タイプのページング受信機を「１」、上記ＲＣＲ  ＳＴＤ−４３標準規格に準拠した「フリーダイレクト」タイプのページング受信機を「２」、「フリー数字／カナ」タイプのページング受信機を「３」、数字のみによる「数字表示」タイプのページング受信機を「４」とする。
【００４４】
また、図７は上記モードコードテーブルＭＴの記憶内容を示すものであり、電子手帳機能における例えば１０個のモード中の５つのモード、すなわち「グループトーク」モード、「スケジュール」モード、「アドレス帳」モード、「メモ」モード、及び「ＴｏＤｏ」モードに対応した「モードコード」、「モード名データ」、「表示シンボル」、及び「項目切換コード数」を記憶するものである。
【００４５】
これらのうち、モードコードは、例えばグループトークモードであれば「］［１」というように先頭に記号「］［」が付されるもので、これらの記号は＃ＪＩＳコードに変換されるとそれぞれ「］」が「０１４７」、「［」が「０１４６」となり、送信時にはモードコード全体として計９桁のコードデータになる。
【００４６】
また上記項目切換コード数は、１つの送信データ中に挿入される項目切換コードの数を表わすもので、この項目切換コードは記号「［］」で表わされ、この記号を上記ＲＣＲ  ＳＴＤ−４３標準規格に準拠したフリーダイレクトのコードに変換すると「＊４＊６」となる。
【００４７】
図８は、上記ＲＡＭ３０は、図８に示すように上記デインタリーブ回路２７でインタリーブ処理が解除された着信したメッセージデータを順次格納する着信メッセージデータメモリＲＤ、上記「グループトーク」モードで使用するグループ間での送受信データを記憶するグループトークメモリＧＴ、後述するスケジュールデータメモリＳＤ、複数の人間の氏名や電話番号、所持しているページング受信機の番号とタイプ、住所等を記憶するアドレス帳データメモリＤＢ、メモデータを記憶するためのメモデータメモリＭＤ、しなければならない重要な用件を示す「ＴｏＤｏ」データを記憶するＴｏＤｏデータメモリＴＤの各記憶領域を有している。
【００４８】
図９は、上記図１でメッセージデータを送信する側の電子手帳１ＡのＲＡＭ３０のスケジュールデータメモリＳＤの記憶内容を例示するもので、スケジュールデータは第１の項目としての年月日、開始時刻（時分）、及び終了時刻（時分）と、第２の項目としてのスケジュール内容と、第３の項目としての絵文字と、及び第４の項目としてのアラーム時刻（時分）とを１組として、それぞれ上記第１の項目の内容の順序に従って格納アドレスが付された上で複数組分記憶されるものである。
【００４９】
上記ドライバ３１は、スピーカ３４、バイブレータ３５及びＬＥＤ３６と接続され、設定された内容に従ってこれらを選択的に駆動することで、着信報知をブザー音、振動、あるいは光の点滅により行なうものである。
【００５０】
上記送信バッファ３２は、上記制御部２５が作成した送信データに基づいた、ＤＴＭＦ信号に変換可能なデータ（数値データ等）を順次バッファ記憶してトーン信号発生部３７へ送出するもので、トーン信号発生部３７がそのデータをトーン信号（ＤＴＭＦ信号）に変換して上記電子手帳１の背面に設けられたスピーカ１８へ出力することにより、予め設定された２つの可聴周波数信号の組合わせでなるＤＴＭＦ信号が放音される。
【００５１】
上記インタフェイス３３は、上記図２及び図３では示さなかった電子手帳１の側面に配設されたコネクタ３８を介して、ライン接続された他の電子手帳１と直接データの送受信を行なうためのものである。
【００５２】
次に上記実施の形態の動作について説明する。
【００５３】
ここでは、上記図１で示した送信側の電子手帳１Ａ側で自身が記憶しているスケジュールデータを選択して送信し、電話端末２、公衆回線網３、及びセンター４を介して該スケジュールデータを受信した電子手帳１Ｂ側では、内容を確認した上で所定のメモリ領域に記憶する場合の動作について説明する。
【００５４】
図１０は主として上記制御部２５による送信モード時のスケジュールデータの送信に関する動作を示すものである。、ここでは上記電子手帳１Ａ側において、まずモードメニュー画面を表示部１２に表示する（ステップＳ１）。モードメニュー画面は、電源オフの状態から上記表示オンキー１３ａを操作した場合、あるいはメニューキー１３ｄが操作された場合に表示される。
【００５５】
図１１はこのとき表示部１２に表示されるモードメニュー画面を例示するものであり、図中、数字「１」と郵便ポスト及びこの郵便ポスト内に向いた矢印の絵文字とで示すモードが、着信メッセージデータメモリＲＤに記憶されているメッセージデータを表示することが可能な「着信メッセージ表示モード」を表わし、数字「２」と便箋及びこの便箋から外に向いた矢印の絵文字とで示すモードが、送信したいメッセージデータを送信先のページング受信機のタイプに合わせて作成することが可能な「メッセージ作成モード」を表わし、数字「３」と２人の顔の絵文字とで示すモードが、グループトークメモリＧＴに記憶されている特定の相手（一人または複数人）との間でやり取りしたメッセージを表示したり、特定の相手に送信する新たなメッセージを入力することが可能な「グループトークモード」を表わし、数字「４」と時計及びその外周の矢印の絵文字とで示すモードが、スケジュールデータメモリＳＤに記憶されているスケジュールデータを表示したり、新たなスケジュールデータをスケジュールデータメモリＳＤに登録したりすることが可能な「スケジュールモード」を表わし、数字「５」とカレンダの絵文字とで示すモードがカレンダを１か月ずつ表示することが可能な「カレンダモード」を表わし、数字「６」と電話機の絵文字とで示すモードが、アドレス帳メモリＤＢに記憶されている複数の人のアドレスデータ、すなわち電話番号や住所等を表示したり、新たなアドレスデータをアドレス帳メモリＤＢに登録したりすることが可能な「アドレス帳モード」を表わし、数字「７」とメモ用紙及び鉛筆の絵文字とで示すモードが、メモデータメモリＭＤに記憶されているメモデータを表示したり、新たなメモデータをメモデータメモリＭＤに記憶したりすることが可能な「メモモード」を表わし、数字「８」と人の頭部及び感嘆符の絵文字とで示すモードが、ＴｏＤｏデータメモリＴＤに記憶されているやらなければならない用件を表示したり、新たな用件をＴｏＤｏデータメモリＴＤに登録することが可能な「ＴｏＤｏモード」を表わし、数字「９」と時計及びこの時計に重複した影の絵文字とで示すモードが、現在の日付や時刻を表示させたり修正したりすることが可能な「時計モード」を表わし、及び数字「１０」と四則演算記号で示すモードが計算することが可能な電卓モードを表わす。
【００５６】
次に、「スケジュールモード」を選択する。「スケジュールモード」の選択は、モードメニュー画面が表示されている状態においてカーソルキー１３ｌを操作し、図１１に示すように、メニューカーソルＭＣを「スケジュールモード」を表わす絵文字の位置に移動させた後、実行キー１３ｋを操作すればよい。メニューカーソルＭＣにより「スケジュールモード」を表わす絵文字が反転表示されている状態で実行キー１３ｋが操作されると、制御部２５は、上記ステップＳ１に続くステップＳ２で、ＲＡＭ３０のスケジュールデータメモリＳＤに記憶しているスケジュールデータを表示するためのモード選択が指示されたものと判断して、当該スケジュールデータメモリＳＤから当日のスケジュールデータをすべて読出し、設定されている時間帯に応じたタイムテーブルを表示部１２に表示させる（ステップＳ３）。
【００５７】
例えば、今日が１９９６年４月１日であるとすると、、上記図９に示したスケジュールデータメモリＳＤの記憶内容に従って格納アドレス「４」に記憶されている「１９９６年４月１日（月曜日）」のスケジュールデータとして「１２：００」〜「１４：００」のみを読出し、タイムテーブル上に当該時間帯を表示し、且つ現在時刻と一致する時間帯（一致する時間帯がない場合は、現在時刻に最も近い時間帯）をフラッシングにより明示する。また、当該スケジュールにアラーム時刻が設定されている場合には、更に末尾の行に「時刻？  有」を表示する。図１２は、この場合の表示例を示したものである。なお、末尾の行の表示としては、上記「時刻？  有」に加え、或いは代えて、そのスケジュールが当日セットされているスケジュールの内の何番目のスケジュールであるかを表わす情報とスケジュール内容を表わすデータ（このケースでは、「有楽町で映画」）の先頭部を表示するようにしてもよい。
【００５８】
この場合、当日に該当するスケジュールデータが１つしか設定されていないためにカーソルキー１３ｌの操作は必要ないが、複数のスケジュールデータが設定されていた場合には、カーソルキー１３ｌの左右方向の操作によってタイムテーブル上のフラッシングさせる時間帯を順次切り替えると共に、末尾行に表示する内容も対応するものに順次切り替える。
【００５９】
なお、所望のスケジュールデータが当日のものではない場合は、カーソルキー１３ｌの上下方向の操作により翌日以降のスケジュールのタイムテーブルを表示させた後、上記と同様の操作を行う。
【００６０】
このようにして、所望のスケジュールデータを仮選択する（ステップＳ４）。
【００６１】
しかる後、上記実行キー１３ｋが操作されたか否かを判別し（ステップＳ５）、実行キー１３ｋが操作されたと判断した時は、上記タイムテーブルの表示に代えて選択されたスケジュールデータの全項目を表示部１２に表示する（ステップＳ６）。
【００６２】
図１３はこのときの表示状態を例示するもので、「１９９６年４月１日（月）」の「１２：００ＰＭ〜１４：００ＰＭ」のスケジュールデータとして「有楽町で映画」が設定されており、且つアラーム設定がなされてそのアラーム時刻が「１１：００」であることが２つの鐘の絵文字ＡＣと共に表示されている。
【００６３】
次に、上記のように選択されたスケジュールデータが表示部１２に表示されている状態で、どのキーが操作されたかを判別する（ステップＳ７）。操作されたキーがカーソルキー１３ｌであった場合には、ステップＳ８で次のスケジュールデータを選択した後、ステップＳ６に戻り、次のスケジュールデータを表示する。操作されたキーが表示切り替えキー１３ｃであった場合には、ステップＳ４に戻り、元のタイムテーブルを表示する。操作されたキーがベル番号キー１３ｉであった場合には、ＲＡＭ３０のアドレス帳データメモリＤＢに記憶されているアドレスデータの中からページング受信機の呼出し番号とそのタイプ及び所有者の名前を一括して読出して表示部１２に一覧表示させる（ステップＳ９）。
【００６４】
次に、カーソルキー１３ｌの操作により、前記選択したスケジュールデータを送信送信すべき相手先の呼出し番号を選択する（ステップＳ１０）。
【００６５】
この状態でダイヤルキー１３ｎが操作されると（ステップＳ１１）、選択されたページング受信機の呼出番号がアドレス帳データメモリＤＢから読出されて送信バッファ３２に転送設定され（ステップＳ１２）、続いて、送信バッファ３２に設定されたページング受信機の呼出番号がトーン信号発生部３７へ送られて、スピーカ１８からページング受信機の呼出番号に対応したダイヤルトーンが出力される（ステップＳ１３）。なお、実際の送信時には、電子手帳１Ａの背面にあるスピーカ１８を任意の電話端末２の送話器に当接した状態でダイヤルキー１３ｎを操作する必要がある。
【００６６】
このようにして送信先の呼出番号の送信出力を終えると、続くステップＳ１４において、ステップＳ６で選択していたスケジュールデータが再度表示部１２に表示される（ステップＳ１０）。
【００６７】
ページングサービスセンター４は、ページング受信機の呼出し番号を受信すると、例えば「メッセージを入力して下さい」のような応答アナウンスを、公衆回線網３を介して発呼側の電話端末２に出力する。電子手帳１Ａの携帯者は、センター４からの前記応答アナウンスを確認した後に、再度スピーカ１８を電話端末２の送話器に当接して、ダイヤルキー１３ｎを操作する（ステップＳ１５）。
【００６８】
ダイヤルキー１３ｎが操作されると、表示部１２に表示されていたスケジュールデータの元データをスケジュールデータメモリＳＤから読み出して送信バッファ３２にセットするが、この場合、スケジュールデータの先頭に上記ＲＯＭ２９のモードコードテーブルＭＴから読出したモードコードを挿入し、また各項目毎に項目切換コードを挿入した上で、更にこれらのデータ中の文字、記号、絵文字などの各データを対応する４桁の数字データに変換したものを送信データとして送信バッファ３２にセットする（ステップＳ１６）。
【００６９】
例えば、送信すべきスケジュールデータが図１３で示したスケジュールデータで場合、ページングセンター４から送信局５を介して受信側の電子手帳１Ｂに送信されるデータは「］［２１９９６０４０１１２００１４００［］有楽町で映画［］［］１１００」であるが、送信バッファ３２にセットするデータ、即ち上記データをＤＴＭＦ信号の形式でページングセンター４へ送るために必要なデータは、下記のようになる。
【００７０】
先ず、先頭のデータ「］［２」は、上記図７でも説明したスケジュールデータを表わすモードコードであるが、このデータは＃ＪＩＳコードに基づいて９（４桁×２文字＋１数字）桁分の数字データとして送信バッファ３２にセットされる。
【００７１】
また、続くスケジュールデータの第１項目のデータ、すなわち年月日、開始時分、及び終了時分を表わす「１９９６０４０１１２００１４００」は、数字のまま１２桁分の数字データとして送信バッファ３２にセットされる。
【００７２】
項目切換コード「［］」は、＃ＪＩＳコードに基づいて８（４桁×２文字）桁分の数字データとして送信バッファ３２にセットされる。
【００７３】
項目切換コード「［］」に続く第２項目のデータ、すなわちスケジュール内容「有楽町で映画」は＃ＪＩＳコードに基づいて２４（４桁×６文字）桁分の数字データとして送信バッファ３２にセットされる。
【００７４】
また、この第２項目のデータに続く第３項目の絵文字に該当するデータがないために、ここでは２重に項目切換コード「［］」が付加され、計１６桁分の数字データとして送信バッファ３２にセットされ、続く第４項目のアラーム時分を表わすデータ「１１００」はそのまま４桁分の数字データとして送信バッファ３２にセットされる。
【００７５】
こうして送信バッファ３２にスケジュールデータから作成した送信データを設定すると、続くステップＳ１７で、これらのデータがトーン信号発生部３７によりＤＴＭＦ信号に変換されてスピーカ１８に出力され、スピーカ１８より送信データに対応したダイヤルトーンが拡声出力させる。
【００７６】
このとき制御部２５では、送信バッファ３２に保持した送信データの全桁数を記憶すると共に、この送信バッファ３２からトーン信号発生部３７を介してスピーカ１８で順次放音出力されるデータの桁数をカウントすることで、残るデータの送信に要する時間、具体的には秒数を予め定められている伝送速度から算出して表示部１２に表示する。
【００７７】
図１４はこのときの表示部１２での表示状態を例示するもので、「ダイヤル中です」の文字、及び手指によりダイヤルしている電話機の絵文字と共に、残り秒数を「残り  ５秒」のように表示すると共に、送信を中断するためのガイドメッセージを「解除キーで中断」のように表示している。
【００７８】
このような残り秒数の表示を一定時間、例えば１秒毎に更新設定して秒数の値をカウントダウンさせながら続行した後、残り秒数の値が「０」となった時点で、すべてのデータ送信を終了したと判断して、例えば上記図１４のような表示に代えて表示部１２で「送信終了」の文字を表示させ、以上でこの図１０による一連の処理を一旦終了すると共に、このスケジュールデータを他の送信先へも送信するべく上記ステップＳ６からの処理を繰返し実行する。
【００７９】
なお、上記ステップＳ２でモードメニュー画面からスケジュールモード以外のモードが選択されたと判断した場合には、後述する処理内容によりその選択されたモードに対応した処理を実行し（ステップＳ１８）、またステップＳ７のキー判別で、操作されたキーがカーソルキー１３ｌ、表示切り替えキー１３ｃ及びベル番号キー１３ｉ以外のキーであると判別された場合は、その他のキー処理を実行するものである（ステップＳ１９）。
【００８０】
次に、上記電子手帳１Ａから送信されたスケジュールデータを受信する電子手帳１Ｂ側での動作について説明する。
【００８１】
まずここで、電子手帳１（１Ａ，１Ｂ）に共通するＲＣＲ  ＳＴＤ−４３標準規格に則った電源投入直後の着信待ちから着信処理に係る処理について示す。
【００８２】
すなわち、表示オンキー１３ａの操作等により電源をオンすると、初期動作としてＩＤ−ＲＯＭ２４から自機に設定されたフレーム番号データとアドレスコードデータとからなるＩＤコードを読出し、制御部２５内の図示しないバッファにセットする。
【００８３】
デコーダ２３は、図３７に示されるフレーム順序で送信される送信データのうち、同期部１（Ｓ１）、フレーム情報（ＦＩ）、及び同期部２（Ｓ２）で構成される同期信号を受信することで自己フレームのフレーム同期を確立するが、このうち同期部１（Ｓ１）に含まれる情報には以下に続くフレームデータが４タイプ、すなわち１６００ｂｐｓ／２値、３２００ｂｐｓ／２値、１６００ｂｐｓ／４値、３２００ｂｐｓ／４値のいずれかを設定するためのデータが含まれているので、これら４タイプのいずれにも対応できるように、制御データを制御部２５から出力して初期設定する。
【００８４】
デコーダ２３はこの後に初期動作として、自己フレームでなくともよいから同期部１（Ｓ１）、フレーム情報（ＦＩ）、及び同期部２（Ｓ２）で構成される同期信号を受信するまで連続受信し、受信するとまず同期部１（Ｓ１）のデータを８ビットパラレルデータに変換して制御部２５に渡す。このとき、同期信号は常に１６００ｂｐｓ／２値で送られてくるものである。
【００８５】
制御部２５は、デコーダ２３から入力された同期部１（Ｓ１）のフレームタイプのデータに従い、電子手帳１はこのデコーダ２３を介して受信部２２にビットタイミングデータを出力する。
【００８６】
デコーダ２３は、この制御部２５からのビットタイミング信号に従い、同期部２（Ｓ２）でビットタイミングをとって受信部２２を制御することにより、受信部２２がアンテナ２１の出力を検波、復調して２値信号あるいは４値信号をデコーダ２３へ送出する。
【００８７】
デコーダ２３は、次にフレーム情報（ＦＩ）のデータを８ビットパラレルデータに変換して制御部２５に渡す。
【００８８】
制御部２５は、入力されたフレーム情報（ＦＩ）のデータに従い、デコーダ２３を介して受信部２２へフレームタイミングデータを出力すると共に、自己フレームであるか否かを判断する。この場合に制御部２５は、フレーム情報（ＦＩ）がＩＤ−ＲＯＭ２４のフレーム番号データと一致した場合には受信部２２へ継続して受信するよう制御する一方、そうでない場合には自己フレームの１つ前のフレームまで受信部２２、デコーダ２３を停止させる。
【００８９】
そして、制御部２５は、受信データが自己フレームあるいは自己フレームの１つ手前であると判断した時点で受信部２２、デコーダ２３を再起動させ、再度自己フレームの同期信号を取得させる。
【００９０】
デコーダ２３は、制御部２５から入力したビットタイミングデータに従って同期部２（Ｓ２）でビットタイミングをとり、停止信号が制御部２５から入力されるまで受信した２値信号あるいは４値信号のブロック情報（ＢＩ）、アドレスフィールド（ＡＦ）を８ビットパラレルデータに変換して制御部２５に出力する。
【００９１】
このデコーダ２３の処理による８ビットパラレルデータに変換された着信データの伝送タイプが１６００ｂｐｓ／２値以外の３つのタイプであった場合、制御部２５はこの８ビットデータをデインタリーブ回路２７へ送出して各伝送タイプに応じて予めこの方式で設定されている８ビットデータに並び換えさせた後、バッファメモリ２８に格納させる。
【００９２】
そして、バッファメモリ２８に１ブロック分の着信データ（アドレスフィールド（ＡＦ）のデータまで）が格納された時点でこのデータを制御部２５が読出し、ＩＤ−ＲＯＭ２４に設定されているアドレスコードデータと一致するか否かを照合することにより、その結果に基づいて自機が呼出されていることを確認して継続して受信するか、あるいは受信を打ち切って次回のフレームタイミングまで受信を停止するかを判断する。
【００９３】
こうして、自機が呼出されていることを確認し、継続して受信すると判断した場合には、引き続いて呼出番号に続くベクトルフィールド（ＶＦ）、メッセージフィールド（ＭＦ）、アイドルブロック（ＩＢ）の各データを順次受信するための着信処理を行なう。
【００９４】
図１５はこの着信処理として主にスケジュールデータを着信した場合の制御部２５による処理内容を示すもので、ここでは上記電子手帳１Ａからのメッセージデータを受信した電子手帳１Ｂを例にとって説明する。
【００９５】
受信側の電子手帳１Ｂは、自機に割り当てられているタイミングで着信処理を開始し、受信したデータにかけられているインタリーブ処理をデインタリーブ回路２７によって解除した後、そのデータをバッファメモリ２８に保持させる（ステップＡ１）。
【００９６】
その後、このバッファメモリ２８に保持している着信データをＲＡＭ３０の着信メッセージデータメモリＲＤにとりあえず記憶した上で（ステップＡ２）、そのデータの先頭位置に上記図７で説明したモードコード“］［ｎ（ｎ：１〜５）”が付加されているか否か検出する（ステップＡ３）。
【００９７】
ここでモードコードが検出されたと判断した場合、制御部２５は、続いて上記モードコードの数字ｎが「２」であるか否か、すなわちそのモードコードがスケジュールモードを示すコードであるか否かを判断する（ステップＡ４）。
【００９８】
スケジュールモードを示すモードコードであった場合、制御部２５はドライバ３１によりスピーカ３４、バイブレータ３５及びＬＥＤ３６のいずれか設定されているものを選択的に駆動させてブザー音、振動、あるいは光の点滅により着信報知を行なわせると共に、着信メッセージデータメモリＲＤに記憶されている着信データ、すなわちスケジュールデータを、そのデータ中に挿入されている項目切換コード「［］」の位置で改行する形式で表示部１２に表示し（ステップＡ５）、以上で一旦この処理を終了する。
【００９９】
図１６はこのときに表示部１２に表示される着信したスケジュールデータの内容を例示するもので、その最上行位置に着信した時刻「´９６．０１．２１  １２：５８ＡＭ」と着信データがスケジュールデータであることを示す絵文字とを表示し、第２行目乃至第４行目に、上記上記受信したスケジュールデータを項目切換コード「［］」の挿入位置で改行して表示している。
【０１００】
そして、表示部１２の最下行では、実行キー１３ｋを操作することによりこの着信メッセージがＲＡＭ３０のスケジュールデータメモリＳＤに転送記憶されることを表わすガイドメッセージを表示している。
【０１０１】
このガイド表示に促されての実行キー１３ｋの操作に伴なう処理内容は、着信メッセージ表示モードにおける同キー１３ｋの操作に対する処理内容と同様であるので、後に詳述する。
【０１０２】
また、上記ステップＡ４で着信したメッセージデータの先頭のモードコードを検出したものの、そのモードコードがスケジュールモードを示すコードではなかったと判断した場合、制御部２５はドライバ３１によりスピーカ３４、バイブレータ３５及びＬＥＤ３６のいずれか設定されているものを選択的に駆動させてブザー音、振動、あるいは光の点滅により着信報知を行なわせると共に、着信メッセージデータメモリＲＤに記憶されている着信データを、中の項目切換コード「［］」に従った改行位置でこの着信データ、すなわちスケジュールモード以外のモードによるデータを表示部１２に表示し（ステップＡ６）、以上で一旦この処理を終了する。
【０１０３】
さらに、上記ステップＡ３で着信したメッセージデータの先頭からモードコードが検出されなかった場合には、そのメッセージデータはモードとは関係のない単なる伝言のためのメッセージデータであることとなるので、制御部２５はドライバ３１によりスピーカ３４、バイブレータ３５及びＬＥＤ３６のいずれか設定されているものを選択的に駆動させてブザー音、振動、あるいは光の点滅により着信報知を行なわせると共に、着信メッセージデータメモリＲＤに記憶されている着信データをそのまま表示部１２に表示し（ステップＡ７）、以上で一旦この処理を終了する。
【０１０４】
次いで、受信側の電子手帳１ＢでＲＡＭ３０の着信メッセージデータメモリＲＤに記憶している着信したメッセージデータを読出して表示させるための着信メッセージ表示モードを指定した場合の動作について説明する。
【０１０５】
図１７は主として制御部２５による着信メッセージ表示モード時の動作を示すもので、ここでは受信側の電子手帳１Ｂ側において、まず電源オフの状態から上記表示オンキー１３ａを操作した場合、あるいはメニューキー１３ｄが操作された場合に上記図１１で示したモードメニュー画面を表示部１２に表示する（ステップＢ１）。
【０１０６】
このモードメニュー画面において、カーソルキー１３ｌを操作してメニューカーソルＭＣを移動させ、数字「１」の着信メッセージ表示モードの当該絵文字が反転表示されている状態で実行キー１３ｋが操作されると、上記ステップＢ１に続くステップＢ２でＲＡＭ３０の着信メッセージデータメモリＲＤに記憶しているメッセージデータを表示するためのモード選択が指示されたものと判断して、当該着信メッセージデータメモリＲＤから記憶されている複数のメッセージデータの各インデックス部分、例えば７桁分を一律に読出すと共に、その先頭部分にモードコードが付加されているものに関してはそのモードコードに従って上記ＲＯＭ２９のモードコードテーブルＭＴから対応する表示シンボルを読出す（ステップＢ３）。
【０１０７】
図１８は電子手帳１ＢのＲＡＭ３０の着信メッセージデータメモリＲＤの記憶内容を例示するもので、各メッセージデータは着信時に使用者が確認を行なったか否かを示す確認フラグと共に格納アドレスが付されて記憶されている。
【０１０８】
ここでは、格納アドレス「０５」のメッセージデータが破線で囲んだモードコード、及び項目切換コードより上記電子手帳１Ａから着信したスケジュールデータであり、その先頭位置にスケジュールモードのデータであることを示すモードコード「］［２」が付され、データ中の各項目間には項目切換コード「［］」が付されている。
【０１０９】
したがって、制御部２５はＲＡＭ３０の着信メッセージデータメモリＲＤから各メッセージデータのインデックス部分、７桁分を一律に読出すと共に、格納アドレス「０５」のスケジュールデータのモードコード「］［２」に従ってＲＯＭ２９のモードコードテーブルＭＴからスケジュールモードの表示シンボルを読出すこととなる。
【０１１０】
制御部２５は、こうして読出したメッセージデータのインデックス部分とモードの表示シンボルとを用いて表示部１２にインデックス表示を行なう（ステップＢ４）。
【０１１１】
図１９は上記図１８で示した着信メッセージデータメモリＲＤからメッセージデータのインデックス部分を読出して表示部１２に表示した状態を例示するもので、ここではモードコードが付されていない通常のメッセージデータに関しては、漢字以外のかな文字、数字、アルファベット等は２文字を１桁分としてカウントして最大７桁分ずつ着信メッセージデータメモリＲＤから読出し、表示部１２に表示している。
【０１１２】
また、特に上記スケジュールデータについては、上述した通りＲＯＭ２９のモードコードテーブルＭＴから読出したスケジュールモードの表示シンボルを先頭に付して表示すると共に、予め設定されるフォーマットに則って着信メッセージデータメモリＲＤから年月日のデータ「１９９６０４０１」のみを読出し、年と月のデータの間及び月と日のデータの間それぞれに区切記号「／」を付して図示する如く「１９９６／０４／０１」表示するものとする。
【０１１３】
このように着信したメッセージデータのインデックス表示を行なっている状態で、続いてスケジュールモードのメッセージデータが選択されたか否かを判断する（ステップＢ５）。
【０１１４】
しかして、上記図１９に示した如くカーソルキー１３ｌの操作によりスケジュールモードのメッセージデータがデータカーソルＤＣで反転表示された状態で実行キー１３ｋが操作されると、これを判断して着信メッセージデータメモリＲＤから当該スケジュールモードのメッセージデータを読出し、表示部１２に表示する（ステップＢ６）。
【０１１５】
このときに表示部１２には、上記図１６で示した如く、その最上行位置に着信した時刻「´９６．０１．２１  １２：５８ＡＭ」と着信データがスケジュールデータであることを示す絵文字とを表示し、第２行目乃至第４行目で、上記電子手帳１Ａから送られてきたスケジュールデータを項目切換コード「［］」に対応して改行するようにして表示している。
【０１１６】
そして、表示部１２の最下行では、実行キー１３ｋを操作することによりこの着信メッセージがＲＯＭ２９のスケジュールデータメモリＳＤにそのまま転送記憶されることをガイドメッセージで表示している。
【０１１７】
こうして着信したスケジュールモードのメッセージデータを表示している状態で、実行キー１３ｋまたは解除キー１３ｊによるキー操作の有無を検出する（ステップＢ７）。
【０１１８】
ここで実行キー１３ｋが操作された場合、着信したスケジュールモードのメッセージデータを自機のＲＡＭ３０のスケジュールデータメモリＳＤにスケジュールデータとして設定するための確認がなされたこととなるので、まずスケジュールデータメモリＳＤの空き容量と、これから記憶させようとするこのメッセージデータの全量とを比較し（ステップＢ９）、スケジュールデータメモリＳＤの空き容量の方がこのメッセージデータの全量よりも多いか否か、すなわちこのメッセージデータをそのままスケジュールデータメモリＳＤに記憶格納させることができるか否か判断する（ステップＢ１０）。
【０１１９】
スケジュールデータメモリＳＤの空き容量の方が多いと判断した場合には、メッセージデータをそのまま記憶格納させることができるので、このメッセージデータをスケジュールデータメモリＳＤに転送して記憶設定させ、代わって着信メッセージデータメモリＲＤから当該スケジュールモードのメッセージデータを消去した後に（ステップＢ１１）、そのまま上記着信メッセージ表示モードからスケジュールモードに自動的に移行し、スケジュールデータメモリＳＤに新たに記憶したこのスケジュールデータを表示部１２に表示して、メッセージデータがスケジュールデータとして登録されたことの確認を行ない（ステップＢ１２）、以上でこの図１７の処理を終了する。
【０１２０】
図２０はこのときの電子手帳１Ｂの表示部１２での表示状態を例示するもので、上記図１３と同様に「１９９６年４月１日（月）」の「１２：００ＰＭ〜１４：００ＰＭ」のスケジュールデータとして「有楽町で映画」が着信されており、且つアラーム設定がなされてそのアラーム時刻が「１１：００」であることが２つの鐘の絵文字ＡＣと共に表示されている。
【０１２１】
また、上記ステップＢ１０でスケジュールデータメモリＳＤの空き容量がメッセージデータの全量より以下であり、メッセージデータをそのままスケジュールデータメモリＳＤに記憶格納させることはできないと判断した場合には、スケジュールデータメモリＳＤの空き容量が不足しているのでメッセージデータの転送ができない旨を予め設定されているガイドメッセージにより表示部１２で表示し（ステップＢ１３）、以上でこの図１７の処理を終了する。
【０１２２】
図２１はこのときの表示部１２での表示状態を例示するものであり、ここでは「×」印の札を持った手の表示シンボルと共に「メモリーが一杯で移動できません」なるガイドメッセージを表示することで、受信したメッセージデータを自己のスケジュールデータとしてスケジュールデータメモリＳＤに格納する程価値のあるものならば、スケジュールデータメモリＳＤを整理する必要があることをこの電子手帳１Ｂの使用者に促すものとする。
【０１２３】
また、上記ステップＢ８で実行キー１３ｋではなく解除キー１３ｊが操作されたと判断した場合、着信したスケジュールモードのメッセージデータは自機のスケジュールデータメモリＳＤにスケジュールデータとして設定する必要がないものと確認されたこととなるので、このメッセージデータの表示状態から再び上記ステップＢ４のインデックス表示の状態に戻る。
【０１２４】
さらに、上記ステップＢ５で着信したメッセージデータのインデックス表示を行なっている状態からスケジュールモード以外のメッセージデータが選択されたと判断した場合には、そのまま選択されたメッセージデータを着信メッセージデータメモリＲＤから読出して表示部１２に表示し（ステップＢ７）、以上でこの図１７の処理を終了する。
【０１２５】
また、上記ステップＢ２でモードメニュー画面から着信メッセージ表示モード以外のモードが選択されたと判断した場合には、後述する処理内容によりその選択されたモードに対応した処理を実行するものである（ステップＢ１４）。
【０１２６】
なお、上記実施の形態では、送信側の電子手帳１ＡでＲＡＭ３０のスケジュールデータメモリＳＤに記憶されているスケジュールデータを選択してメッセージデータとして送信し、受信側の電子手帳１Ｂではこのメッセージデータの着信報知時、あるいは着信メッセージ表示モードの設定時に実行キー１３ｋを操作することでこのメッセージデータを自己のスケジュールデータとしてＲＡＭ３０のスケジュールデータメモリＳＤに転送設定する場合の動作について説明したが、スケジュールモードに対応したスケジュールデータメモリＳＤのスケジュールデータのみならず、他のモードのデータもメッセージデータとして送信し、これを着信した側で簡単なキー操作により対応するモードのメモリ領域に記憶設定することができるものである。
【０１２７】
以下、それら各モードのデータを送受信する場合の動作について説明する。
【０１２８】
図２２は上記図１８に続く、受信側である電子手帳１ＢのＲＡＭ３０の着信メッセージデータメモリＲＤの記憶内容を例示するものである。
【０１２９】
ここで、格納アドレス「０６」のメッセージデータは破線で囲んだモードコード、項目切換コードより上記電子手帳１Ａから着信したアドレス帳データであり、その先頭位置にアドレス帳モードのデータであることを示すモードコード「］［３」が付され、データ中の各項目間には項目切換コード「［］」が計１２個付されている。
【０１３０】
また、格納アドレス「０７」のメッセージデータは上記電子手帳１Ａから着信したメモデータであり、その先頭位置にメモモードのデータであることを示すモードコード「］［４」が付され、データ中の項目間に項目切換コード「［］」が１個のみ付されている。
【０１３１】
さらに、格納アドレス「０８」のメッセージデータは上記電子手帳１Ａから着信したグールプトークデータであり、その先頭位置にグループトークモードのデータであることを示すモードコード「］［１」が付され、データ中の項目間に項目切換コード「［］」が２個付されている。
【０１３２】
また、格納アドレス「０９」のメッセージデータは上記電子手帳１Ａから着信したＴｏＤｏデータであり、その先頭位置にＴｏＤｏモードのデータであることを示すモードコード「］［５」が付され、データ中の項目間に項目切換コード「［］」が３個付されている。
【０１３３】
このような着信メッセージデータメモリＲＤの記憶内容において、モードメニュー画面から着信メッセージ表示モードを選択した場合、上記図１７の処理によりこれら着信メッセージデータメモリＲＤの各メッセージデータのインデックス部分が読出されると共に、先頭部分に付加されている各モードコードに従って上記ＲＯＭ２９のモードコードテーブルＭＴからそれぞれ対応する表示シンボルが読出され（ステップＢ３）、これら読出されたメッセージデータのインデックス部分とモードコードの表示シンボルとにより図２３に示すようなインデックス表示が行なわれる（ステップＢ４）。
【０１３４】
すなわち図２３においては、スケジュールモード、アドレス帳モード、メモモード、グループトークモード、及びＴｏＤｏモードの各表示シンボルが各メッセージデータのインデックス部分の先頭位置に表示されることとなる。
【０１３５】
次いで、順序は逆になるが、上記受信側の電子手帳１ＢのＲＡＭ３０の着信メッセージデータメモリＲＤに上述したような各メッセージデータを記憶させるために、送信側である電子手帳１Ａから各モードでデータを選択して送信する際の動作について説明する。
【０１３６】
図２４は電子手帳１ＡのＲＡＭ３０のアドレス帳データメモリＤＢの記憶内容を例示するものであり、各アドレス帳データは第１項目の名前、第２項目の読み、第３項目の電話番号、第４項目のページング受信機タイプ、第５項目のページング受信機番号、第６項目の住所、第７項目の絵文字、及び第８項目の第１乃至第６のその他情報を１組として、格納アドレスが付された上で複数組分記憶されるものである。
【０１３７】
このようなアドレス帳データメモリＤＢの記憶内容を有する電子手帳１Ａにおいて、モードメニュー画面からカーソルキー１３ｌの操作により数字「６」のアドレス帳モードを選択してから実行キー１３ｋを操作した場合、図２５に示すようなアドレス帳データのインデックス部分が表示部１２に表示される。
【０１３８】
すなわち図２５はこのとき表示部１２に表示されるアドレス帳モードのインデックス画面を例示するものであり、その第１行目に現在表示されているアドレス帳データの頭文字が「か」行に属するものであることを表示すると共に、第２行目以下でアドレス帳データメモリＤＢから読出したアドレス帳モードのインデックス部分、この場合は名前、を表示する。
【０１３９】
図中はカーソルキー１３ｌの操作により「加藤一夫」さんの名前がデータカーソルＤＣで反転表示された状態を示すもので、この状態から実行キー１３ｋが操作されると、これを判断してアドレス帳データメモリＤＢから当該アドレス帳データを読出し、表示部１２に表示する。
【０１４０】
図２６はこのときの表示部１２での表示状態を例示するもので、第１行目に名前を、第２行目に電話機の絵文字と電話番号を、第３行目にページング受信機タイプに応じた「漢」の反転文字とページング受信機番号を、第４行目及び第５行目で住所以下の項目をそれぞれ表示している。
【０１４１】
この表示状態からベル番号キー１３ｉを操作することにより、次に送信先を選択するべくＲＡＭ３０のアドレス帳データメモリＤＢに記憶されている内容から名前が一括して読出され、表示部１２に一覧表示されるもので、このときの送信先の選択動作以降、実際に送信されるまでの動作に関しては上記スケジュールデータを送信する場合とほぼ同様であるので、その説明は省略する。
【０１４２】
このようなアドレス帳データを着信した電子手帳１Ｂでは、その着信時、あるいは上記図２３に示した着信メッセージ表示モードでのインデックス画面の表示状態からこのアドレス帳データを選択した時点で、図２７に示すような表示を行なう。
【０１４３】
すなわち、図２７においては、その最上行位置に着信した時刻「´９６．０１．２１  １２：５９ＡＭ」と着信データがアドレス帳データであることを示す絵文字とを表示し、第２行目乃至第４行目で、上記電子手帳１Ａから送られてきたアドレス帳データの一部を項目切換コード「［］」に対応して改行するようにして表示している。
【０１４４】
そして、表示部１２の最下行では、実行キー１３ｋを操作することによりこの着信メッセージがＲＯＭ２９のアドレス帳データメモリＤＢにそのまま転送記憶されることをガイドメッセージで表示している。
【０１４５】
こうして着信したアドレス帳モードのメッセージデータを表示している状態で、ガイドメッセージにしたがって実行キー１３ｋを操作した場合、電子手帳１Ｂの使用者によって着信したアドレス帳モードのメッセージデータを自機のＲＡＭ３０のアドレス帳データメモリＤＢにアドレス帳データとして設定するための確認がなされたこととなる。
【０１４６】
したがって、アドレス帳データメモリＤＢの空き容量とこのメッセージデータの全量との比較により記憶させることが可能であることを確認した上で、このメッセージデータをアドレス帳データメモリＤＢに転送して記憶設定させ、代わって着信メッセージデータメモリＲＤから当該アドレス帳モードのメッセージデータを消去し、そのまま上記着信メッセージ表示モードからアドレス帳モードに自動的に移行し、アドレス帳データメモリＤＢに新たに記憶したこのアドレス帳データを上記図２６と同様に表示部１２に表示して、メッセージデータがアドレス帳データとして登録されたことの確認を行なう。
【０１４７】
また、図２８は電子手帳１ＡのＲＡＭ３０のメモデータメモリＭＤの記憶内容を例示するものであり、各メモデータは第１項目のメモ内容と、第２項目の絵文字を１組として、格納アドレスが付された上で複数組分記憶されるものである。
【０１４８】
この場合、上記第１項目のメモ内容は、改行コードが適宜任意に設定されることで、表示時に文字列が列挙されるようになっている。
【０１４９】
このようなメモデータメモリＭＤの記憶内容を有する電子手帳１Ａにおいて、モードメニュー画面からカーソルキー１３ｌの操作により数字「７」のメモモードを選択してから実行キー１３ｋを操作した場合、各メモデータのインデックス部分がメモデータメモリＭＤから読出されて表示部１２に表示される。
【０１５０】
しかるに、カーソルキー１３ｌの操作により任意のメモデータ、例えば図２８の格納アドレス「０１」のメモデータのインデックス部分がデータカーソルＤＣで反転表示された状態で実行キー１３ｋが操作されると、メモデータメモリＭＤから当該メモデータを読出し、表示部１２に表示する。
【０１５１】
図２９はこのときの表示部１２での表示状態を例示するもので、第１行目乃至第３行目にメモ内容を、第４行目に絵文字をそれぞれ表示している。
【０１５２】
この表示状態からベル番号キー１３ｉを操作することにより、次に送信先を選択するべくＲＡＭ３０のアドレス帳データメモリＤＢに記憶されている内容から名前が一括して読出され、表示部１２に一覧表示されるもので、このときの送信先の選択動作以降、実際に送信されるまでの動作に関しては上記スケジュールデータ、アドレス帳データを送信する場合とほぼ同様であるので、その説明は省略する。
【０１５３】
このようなメモデータを着信した電子手帳１Ｂでは、その着信時、あるいは上記図２３に示した着信メッセージ表示モードでのインデックス画面の表示状態からこのメモデータを選択した時点で、図３０に示すような表示を行なう。
【０１５４】
すなわち、図３０においては、その最上行位置に着信した時刻「´９６．０１．２２  ０７：５６ＡＭ」と着信データがメモデータであることを示す絵文字とを表示し、第２行目乃至第４行目で、上記電子手帳１Ａから送られてきたメモデータの一部をメモ内容中の改行コードに対応して改行するようにして表示している。
【０１５５】
そして、表示部１２の最下行では、実行キー１３ｋを操作することによりこの着信メッセージがＲＯＭ２９のメモデータメモリＭＤにそのまま転送記憶されることをガイドメッセージで表示している。
【０１５６】
こうして着信したメモモードのメッセージデータを表示している状態で、ガイドメッセージにしたがって実行キー１３ｋを操作した場合、電子手帳１Ｂの使用者によって、着信したメモモードのメッセージデータを自機のＲＡＭ３０のメモデータメモリＭＤにメモデータとして設定するための確認がなされたこととなる。
【０１５７】
したがって、メモデータメモリＭＤの空き容量とこのメッセージデータの全量との比較により記憶させることが可能であることを確認した上で、このメッセージデータをメモデータメモリＭＤに転送して記憶設定させ、代わって着信メッセージデータメモリＲＤから当該メモモードのメッセージデータを消去し、そのまま上記着信メッセージ表示モードからメモモードに自動的に移行し、メモデータメモリＭＤに新たに記憶したこのメモデータを上記図２９と同様に表示部１２に表示して、メッセージデータがメモデータとして登録されたことの確認を行なう。
【０１５８】
また、図３１は電子手帳１ＡのＲＡＭ３０のグループトークメモリＧＴの記憶内容を例示するものであり、各グループトークデータは第１項目のファイル名、第２項目の送信者、及び第２項目のメッセージ内容を１組として、格納アドレスが付された上で複数組分記憶されるものである。
【０１５９】
このようなグループトークメモリＧＴの記憶内容を有する電子手帳１Ａにおいて、モードメニュー画面からカーソルキー１３ｌの操作により数字「３」のグループトークモードを選択してから実行キー１３ｋを操作した場合、各グループトークデータの第１項目のファイル名がインデックス部分としてグループトークメモリＧＴから読出され、表示部１２に表示される。
【０１６０】
しかるに、カーソルキー１３ｌの操作により任意のグループトークデータ、例えば図３１の格納アドレス「０１」のグループトークデータのインデックス部分がデータカーソルＤＣで反転表示された状態で実行キー１３ｋが操作されると、グループトークメモリＧＴから当該グループトークデータを読出し、表示部１２に表示する。
【０１６１】
図３２はこのときの表示部１２での表示状態を例示するもので、第１行目で第１項目のファイル名を、第２行目で第２項目の送信者名を、第３行目乃至第４行目で第３項目のメッセージ内容をそれぞれ表示している。
【０１６２】
この表示状態からベル番号キー１３ｉを操作することにより、次に送信先を選択するべくＲＡＭ３０のアドレス帳データメモリＤＢに記憶されている内容から名前が一括して読出され、表示部１２に一覧表示されるもので、このときの送信先の選択動作以降、実際に送信されるまでの動作に関しては上記スケジュールデータ、アドレス帳データを送信する場合とほぼ同様であるので、その説明は省略する。
【０１６３】
このようなグループトークデータを受信した電子手帳１Ｂでは、その着信時、あるいは上記図２３に示した着信メッセージ表示モードでのインデックス画面の表示状態からこのグループトークデータを選択した時点で、図３３に示すような表示を行なう。
【０１６４】
すなわち、図３３においては、その最上行位置に着信した時刻「´９６．０１．２２  ０９：５８ＡＭ」と着信データがグループトークデータであることを示す絵文字とを表示し、第２行目乃至第４行目で、上記電子手帳１Ａから送られてきたグループトークデータの一部を項目切換コードにより改行するようにして表示している。
【０１６５】
そして、表示部１２の最下行では、実行キー１３ｋを操作することによりこの着信メッセージがＲＯＭ２９のグループトークメモリＧＴにそのまま転送記憶されることをガイドメッセージで表示している。
【０１６６】
こうして着信したグループトークモードのメッセージデータを表示している状態で、ガイドメッセージにしたがって実行キー１３ｋを操作した場合、電子手帳１Ｂの使用者によって、着信したグループトークモードのメッセージデータを自機のＲＡＭ３０のグループトークメモリＧＴにグループトークデータとして設定するための確認がなされたこととなる。
【０１６７】
したがって、グループトークメモリＧＴの空き容量とこのメッセージデータの全量との比較により記憶させることが可能であることを確認した上で、このメッセージデータをグループトークメモリＧＴに転送して記憶設定させ、代わって着信メッセージデータメモリＲＤから当該グループトークモードのメッセージデータを消去し、そのまま上記着信メッセージ表示モードからグループトークモードに自動的に移行し、グループトークメモリＧＴに新たに記憶したこのグループトークデータを上記図３２と同様に表示部１２に表示して、メッセージデータがグループトークデータとして登録されたことの確認を行なう。
【０１６８】
また、図３４は電子手帳１ＡのＲＡＭ３０のＴｏＤｏデータメモリＴＤの記憶内容を例示するものであり、各ＴｏＤｏデータは第１項目のチェック状況フラグ、第２項目のＴｏＤｏ内容、第３項目の絵文字、及び第４項目のチェック時刻を１組として、格納アドレスが付された上で複数組分記憶されるものである。
【０１６９】
このようなＴｏＤｏデータメモリＴＤの記憶内容を有する電子手帳１Ａにおいて、モードメニュー画面からカーソルキー１３ｌの操作により数字「８」のＴｏＤｏモードを選択してから実行キー１３ｋを操作した場合、各ＴｏＤｏデータの第２項目のＴｏＤｏ内容がインデックス部分としてＴｏＤｏデータメモリＴＤから読出され、表示部１２に表示される。
【０１７０】
しかるに、カーソルキー１３ｌの操作により任意のＴｏＤｏデータ、例えば図３４の格納アドレス「０１」のＴｏＤｏデータのインデックス部分がデータカーソルＤＣで反転表示された状態で実行キー１３ｋが操作されると、ＴｏＤｏデータメモリＴＤから当該ＴｏＤｏデータを読出し、表示部１２に表示する。
【０１７１】
図３５はこのときの表示部１２での表示状態を例示するもので、第１行目で第１項目のチェック状況フラグに対応したチェックシンボルと第２項目のＴｏＤｏ内容、及び第３項目の絵文字を、第２行目で第４項目のチェック時刻をそれぞれ表示している。
【０１７２】
この表示状態からベル番号キー１３ｉを操作することにより、次に送信先を選択するべくＲＡＭ３０のアドレス帳データメモリＤＢに記憶されている内容から名前が一括して読出され、表示部１２に一覧表示されるもので、このときの送信先の選択動作以降、実際に送信されるまでの動作に関しては上記スケジュールデータ、アドレス帳データ、グループトークデータを送信する場合とほぼ同様であるので、その説明は省略する。
【０１７３】
このようなＴｏＤｏデータを着信した電子手帳１Ｂでは、その着信時、あるいは上記図２３に示した着信メッセージ表示モードでのインデックス画面の表示状態からこのＴｏＤｏデータを選択した時点で、図３３に示すような表示を行なう。
【０１７４】
すなわち、図３６においては、その最上行位置に着信した時刻「´９６．０１．２２  １１：５８ＡＭ」と着信データがＴｏＤｏデータであることを示す絵文字とを表示し、第２行目乃至第４行目で、上記電子手帳１Ａから送られてきたＴｏＤｏデータを項目切換コードにより改行するようにして表示している。
【０１７５】
そして、表示部１２の最下行では、実行キー１３ｋを操作することによりこの着信メッセージがＲＯＭ２９のＴｏＤｏデータメモリＴＤにそのまま転送記憶されることをガイドメッセージで表示している。
【０１７６】
こうして着信したＴｏＤｏモードのメッセージデータを表示している状態で、ガイドメッセージにしたがって実行キー１３ｋを操作した場合、電子手帳１Ｂの使用者によって、着信したＴｏＤｏモードのメッセージデータを自機のＲＡＭ３０のＴｏＤｏデータメモリＴＤにＴｏＤｏデータとして設定するための確認がなされたこととなる。
【０１７７】
したがって、ＴｏＤｏデータメモリＴＤの空き容量とこのメッセージデータの全量との比較により記憶させることが可能であることを確認した上で、このメッセージデータをＴｏＤｏデータメモリＴＤに転送して記憶設定させ、代わって着信メッセージデータメモリＲＤから当該ＴｏＤｏモードのメッセージデータを消去し、そのまま上記着信メッセージ表示モードからＴｏＤｏモードに自動的に移行し、ＴｏＤｏデータメモリＴＤに新たに記憶したこのＴｏＤｏデータを上記図３５と同様に表示部１２に表示して、メッセージデータがＴｏＤｏデータとして登録されたことの確認を行なう。
【０１７８】
なお、本実施の形態では、送信データをＤＴＭＦ信号に変換してスピーカ１８より放音するようにしていたが、これに限らず、送信データを赤外線信号に変換してＩＲ送受信部１４より出力して送信してもよいし、また、コネクタ３８から送信データを出力して送信してもよい。
【０１７９】
また、上記実施の形態では、本発明をページング信号受信機能及びダイヤルトーン出力機能付きの電子手帳に適用した場合を例示したが、これに限ることなく、デジタル携帯電話、トランシーバ、データ通信端末その他、無線信号の送信を行なう各種電子機器に適用可能であることは勿論である。
【０１８０】
その他、本発明はその要旨を逸脱しない範囲内で種々変形して実施することが可能であるものとする。
【０１８１】
【発明の効果】
請求項１記載の発明によれば、受信したデータが属性を有するものであった場合には、受信したデータの表示時に当該データを属性に基づいて分類記憶する際の記憶エリアをも認識することができ、また当該データをその属性に対応した記憶手段の記憶エリアに記憶する際には、簡単な指示操作で記憶させることができる。
【０１８２】
請求項２記載の発明によれば、上記請求項１記載の発明の効果に加えて、属性を有するデータを他の情報管理装置へ送信する機能をも有するようにしたため、他の情報管理装置とデータの共有化をはかることができる。
【０１８３】
請求項３記載の発明によれば、受信データ記憶手段に記憶されている受信データの中から表示させるべき所望の受信データの選択が容易となり、また、選択した受信データが属性を有するものであった場合には、受信データの表示時に当該データを属性に基づいて分類記憶する際の記憶エリアをも認識することができ、且つ当該データをその属性に対応した記憶手段の記憶エリアに記憶する際には、簡単な指示操作で記憶させることができる。
【０１８４】
請求項４記載の発明によれば、上記請求項３記載の発明の効果に加えて、属性を有するデータを他の情報管理装置へ送信する機能をも有するようにしたため、他の情報管理装置とデータの共有化をはかることができる。
【図面の簡単な説明】
【図１】本発明の実施の一形態に係るシステム全体の構成を示す図。
【図２】図１の電子手帳の外観構成を示す正面図。
【図３】図１の電子手帳の外観構成を示す背面図。
【図４】図１の電子手帳の回路構成を示すブロック図。
【図５】図４のＲＯＭ２９のメモリ領域構成を示す図。
【図６】図５のページング受信機タイプテーブルＰＴの内容を示す図。
【図７】図５のモードコードテーブルＭＴの内容を示す図。
【図８】図４のＲＡＭ３０のメモリ領域構成を示す図。
【図９】図８のスケジュールデータメモリＳＤの記憶内容を例示する図。
【図１０】同実施の形態に係るスケジュールデータの送信動作の処理内容を示すフローチャート。
【図１１】同実施の形態に係るモードメニュー表示画面を例示する図。
【図１２】同実施の形態に係るスケジュールデータの送信動作時の表示画面を例示する図。
【図１３】同実施の形態に係るスケジュールデータの送信動作時の表示画面を例示する図。
【図１４】同実施の形態に係る送信動作時の表示画面を例示する図。
【図１５】同実施の形態に係る着信動作の処理内容を示すフローチャート。
【図１６】同実施の形態に係る着信動作時のスケジュールデータの表示画面を例示する図。
【図１７】同実施の形態に係る着信メッセージ表示モード時の処理内容を示すフローチャート。
【図１８】図８の着信メッセージデータメモリＲＤの記憶内容を例示する図。
【図１９】同実施の形態に係る着信メッセージ表示モード時のインデックス表示画面を例示する図。
【図２０】同実施の形態に係る着信メッセージ表示モード時のスケジュールデータの表示画面を例示する図。
【図２１】同実施の形態に係る着信メッセージ表示モード時の表示画面を例示する図。
【図２２】図８の着信メッセージデータメモリＲＤの記憶内容を例示する図。
【図２３】同実施の形態に係る着信メッセージ表示モード時のインデックス表示画面を例示する図。
【図２４】図８のアドレス帳データメモリＤＢの記憶内容を例示する図。
【図２５】同実施の形態に係るアドレス帳データの送信動作時の表示画面を例示する図。
【図２６】同実施の形態に係るアドレス帳データの送信動作時の表示画面を例示する図。
【図２７】同実施の形態に係る着信メッセージ表示モード時のアドレス帳データの表示画面を例示する図。
【図２８】図８のメモデータメモリＭＤの記憶内容を例示する図。
【図２９】同実施の形態に係るメモデータの送信動作時のメモデータの表示画面を例示する図。
【図３０】同実施の形態に係る着信メッセージ表示モード時のメモデータの表示画面を例示する図。
【図３１】図８のグループトークメモリＧＴの記憶内容を例示する図。
【図３２】同実施の形態に係るグループトークデータの送信動作時の表示画面を例示する図。
【図３３】同実施の形態に係る着信メッセージ表示モード時のグループトークデータの表示画面を例示する図。
【図３４】図８のＴｏＤｏデータメモリＴＤの記憶内容を例示する図。
【図３５】同実施の形態に係るＴｏＤｏデータの送信動作時の表示画面を例示する図。
【図３６】同実施の形態に係る着信メッセージ表示モード時のＴｏＤｏデータの表示画面を例示する図。
【図３７】ＲＣＲ・ＳＴＤ−４３の１フレームのデータフォーマットを示す図。
【符号の説明】
１，１Ａ，１Ｂ…電子手帳
２…電話端末
３…公衆回線網
４…センター（中央制御局）
５…送信局
１２…表示部
１３ａ…表示オンキー
１３ｂ…表示オフキー
１３ｃ…表示切換キー
１３ｄ…メニューキー
１３ｅ…サーチキー
１３ｆ…絵文字サーチキー
１３ｇ…機能キー
１３ｈ…シークレットキー
１３ｉ…ベル番号キー
１３ｊ…解除キー
１３ｋ…実行キー
１３ｌ…カーソルキー
１３ｍ…メッセージキー
１３ｎ…ダイヤルキー
１３ｏ…シートキー
１４…ＩＲ送受信部
１５…電池蓋
１６…ロックスイッチ
１７…バックアップ電池蓋
１８…スピーカ
２１…アンテナ
２２…受信部
２３…デコーダ
２４…ＩＤ−ＲＯＭ
２５…制御部
２６…キー入力部
２７…デインタリーブ回路
２８…バッファメモリ
２９…ＲＯＭ
３０…ＲＡＭ
３１…ドライバ
３２…送信バッファ
３３…インタフェイス
３４…スピーカ
３５…バイブレータ
３６…ＬＥＤ
３７…トーン信号発生部
３８…コネクタ
ＣＰ…制御プログラム
ＣＧ…キャラクタジェネレータ
ＪＣ…＃ＪＩＳコード表
ＰＴ…ページング受信機タイプテーブル
ＭＴ…モードコードテーブル
ＣＴ…各種送信コード変換テーブル
ＲＤ…着信メッセージデータメモリ
ＧＴ…グループトークメモリ
ＳＤ…スケジュールデータメモリ
ＤＢ…アドレス帳データメモリ
ＭＤ…メモデータメモリ
ＴＤ…ＴｏＤｏデータメモリ
【図１】
0003812040.tif 000002
【図２】
0003812040.tif 000003
【図３】
0003812040.tif 000004
【図４】
0003812040.tif 000005
【図５】
0003812040.tif 000006
【図６】
0003812040.tif 000007
【図７】
0003812040.tif 000008
【図８】
0003812040.tif 000009
【図９】
0003812040.tif 000010
【図１０】
0003812040.tif 000011
【図１１】
0003812040.tif 000012
【図１２】
0003812040.tif 000013
【図１３】
0003812040.tif 000014
【図１４】
0003812040.tif 000015
【図１５】
0003812040.tif 000016
【図１６】
0003812040.tif 000017
【図１７】
0003812040.tif 000018
【図１８】
0003812040.tif 000019
【図１９】
0003812040.tif 000020
【図２０】
0003812040.tif 000021
【図２１】
0003812040.tif 000022
【図２２】
0003812040.tif 000023
【図２３】
0003812040.tif 000024
【図２４】
0003812040.tif 000025
【図２５】
0003812040.tif 000026
【図２６】
0003812040.tif 000027
【図２７】
0003812040.tif 000028
【図２８】
0003812040.tif 000029
【図２９】
0003812040.tif 000030
【図３０】
0003812040.tif 000031
【図３１】
0003812040.tif 000032
【図３２】
0003812040.tif 000033
【図３３】
0003812040.tif 000034
【図３４】
0003812040.tif 000035
【図３５】
0003812040.tif 000036
【図３６】
0003812040.tif 000037
【図３７】
0003812040.tif 000038